(57)【特許請求の範囲】
【請求項１】
配置された位置情報又は個体情報を含む発信機情報を発信する複数の発信機と；
前記複数の発信機から発信される前記発信機情報を受信する携帯端末と；
前記携帯端末から、一の発信機の発信機情報と前記携帯端末を識別する端末情報とを受信した場合、前記一の発信機の発信機情報と前記端末情報とを対応付けるサーバと；
を具備し、
前記携帯端末は、
前記携帯端末と前記一の発信機との通信状態として、前記携帯端末と前記一の発信機とが、所定の距離以上離れるか又は所定の期間以上通信ができない場合、前記サーバに前記一の発信機の発信機情報と前記携帯端末を識別する端末情報と、を送信する位置情報活用システム。
【請求項２】
配置された位置情報又は個体情報を含む発信機情報を発信する複数の発信機と；
前記複数の発信機から発信される前記発信機情報を受信する携帯端末と；
前記携帯端末から、一の発信機の発信機情報と前記携帯端末を識別する端末情報とを受信した場合、前記一の発信機の発信機情報と前記端末情報とを対応付けるサーバと；
を具備し、
前記携帯端末は、
前記携帯端末と前記一の発信機とが通信可能な状態であり、かつ前記携帯端末に関連付けられた対象物と前記携帯端末とが、所定の距離以上離れた場合、前記サーバに前記一の発信機の発信機情報と前記携帯端末を識別する端末情報とを送信する位置情報活用システム。
【請求項３】
前記携帯端末は、
前記サーバに所定の処理を要求する際に、前記サーバに前記一の発信機の発信機情報又は端末情報を送信する
ことを特徴とする請求項１または請求項２に記載の位置情報活用システム。
【請求項４】
光源部と制御部を保持する複数の照明器具を含む照明制御システム
をさらに具備し、
前記サーバは、
前記携帯端末に対応付けられた所定の携帯端末から要求された場合、前記端末情報に対応付けられた前記一の発信機の発信機情報に基づいて、前記照明制御システムに前記一の発信機の位置から所定の範囲内に配置された照明器具を制御するように指示する
ことを特徴とする請求項１〜３のいずれか１項に記載の位置情報活用システム。
【請求項５】
前記サーバは、
前記携帯端末に対応付けられた所定の携帯端末から要求される際に前記所定の携帯端末から位置情報を受信した場合、前記所定の携帯端末から受信した位置情報に基づく位置と前記端末情報に対応付けられた前記一の発信機の位置との間の経路に設置された照明器具を、前記照明制御システムに制御するように指示する
ことを特徴とする請求項４に記載の位置情報活用システム。
【請求項６】
前記サーバは、
前記携帯端末に対応付けられた所定の携帯端末から要求された場合、前記端末情報に対応付けられた前記一の発信機の発信機情報に基づく地図情報を、前記所定の携帯端末に送信する
ことを特徴とする請求項１〜５のいずれか１項に記載の位置情報活用システム。
【請求項７】
前記サーバは、
前記携帯端末に対応付けられた所定の携帯端末から要求される際に前記所定の携帯端末から位置情報を受信した場合、前記所定の携帯端末から受信した位置情報に基づく位置と前記端末情報に対応付けられた前記一の発信機の位置との間の経路情報を、前記所定の携帯端末に送信する
ことを特徴とする請求項６に記載の位置情報活用システム。
【発明の詳細な説明】
【技術分野】
【０００１】
本発明の実施形態は、位置情報活用システムに関する。
【背景技術】
【０００２】
従来、ユーザの位置情報に基づいた制御を行い、ユーザに種々のサービスを提供する技術が知られている。このような技術としては、例えば、プレゼンス制御等が知られている。
【先行技術文献】
【特許文献】
【０００３】
【特許文献１】特開２０１１−１２４９６８号公報
【発明の概要】
【発明が解決しようとする課題】
【０００４】
しかしながら、上述のような技術では、制御を行う時点でのユーザ本人の位置や状態によらずにサービスを提供することが難しいといった課題がある。
【０００５】
本発明は、制御を行う時点でのユーザ本人の位置や状態によらないサービスの提供を支援する位置情報活用システムを提供することを目的とする。
【課題を解決するための手段】
【０００６】
本実施形態の位置情報活用システムは、複数の発信機と、携帯端末と、サーバとを具備する。複数の発信機は、配置された位置情報又は個体情報を含む発信機情報を発信する。携帯端末は、複数の発信機から発信される発信機情報を受信する。サーバは、携帯端末から、一の発信機の発信機情報と、携帯端末を識別する端末情報と、を受信した場合、一の発信機の発信機情報と端末情報とを対応付ける。携帯端末は、携帯端末と一の発信機との通信状態として、携帯端末と一の発信機とが、所定の距離以上離れるか又は所定の期間以上通信ができない場合、サーバに一の発信機の発信機情報と携帯端末を識別する端末情報と、を送信する。
【発明の効果】
【０００７】
本発明によれば、制御を行う時点でのユーザ本人の位置や状態によらないサービスの提供を支援することができる。
【図面の簡単な説明】
【０００８】
【図１】図１は、実施形態１に係る位置情報活用システムの全体構成を示すシステム構成図である。
【図２】図２は、実施形態１に係るサーバの構成を示すブロック図である。
【図３】図３は、実施形態１に係る発信機情報記憶部に記憶されるテーブルの一例を示す図である。
【図４】図４は、実施形態１に係るマーキング情報記憶部に記憶されるテーブルの一例を示す図である。
【図５】図５は、実施形態１に係る照明制御システムの構成を示すブロック図である。
【図６】図６は、実施形態１に係る照明情報記憶部に記憶されるテーブルの一例を示す図である。
【図７】図７は、実施形態１に係る携帯端末の構成を示すブロック図である。
【図８】図８は、実施形態１に係る位置情報活用システムにおける位置情報活用処理の手順を示すシーケンス図である。
【図９】図９は、実施形態２に係る位置情報活用システムの全体構成を示すシステム構成図である。
【図１０】図１０は、実施形態２に係るサーバの構成を示すブロック図である。
【図１１】図１１は、実施形態２に係る携帯端末の記憶部に記憶されるテーブルの一例を示す図である。
【図１２】図１２は、実施形態２に係る位置情報活用システムにおける位置情報活用処理の手順を示すシーケンス図である。
【図１３】図１３は、実施形態３に係る位置情報活用システムの全体構成を示すシステム構成図である。
【図１４】図１４は、実施形態３に係るサーバの構成を示すブロック図である。
【図１５】図１５は、実施形態３に係るグループ情報記憶部に記憶されるテーブルの一例を示す図である。
【図１６】図１６は、実施形態３に係る位置情報活用システムにおける位置情報活用処理の手順を示すシーケンス図である。
【図１７】図１７は、実施形態４に係る位置情報活用システムの全体構成を示すシステム構成図である。
【図１８】図１８は、実施形態４に係る通信ユニットの構成を示すブロック図である。
【図１９】図１９は、実施形態４に係る位置情報活用システムにおける位置情報活用処理の手順を示すシーケンス図である。
【図２０】図２０は、実施形態１〜４に係る携帯端末の画面表示例を示す図である。
【図２１】図２１は、実施形態１〜４に係る携帯端末の画面表示例を示す図である。
【図２２】図２２は、実施形態１〜４に係る照明器具による経路案内の例を示す図である。
【発明を実施するための形態】
【０００９】
以下で説明する実施形態１〜３に係る位置情報活用システム１〜３は、配置された位置情報又は個体情報を含む発信機情報を発信する複数の発信機４０−１，４０−２，４０−３，４０−４（以下、「４０」とする。）と、複数の発信機４０から発信される発信機情報を受信する携帯端末１０，１０Ａと、携帯端末１０，１０Ａから、一の発信機４０の発信機情報と携帯端末１０，１０Ａを識別する端末情報とを受信した場合、一の発信機４０の発信機情報と端末情報とを対応付けるサーバ１００，２００，３００とを具備する。
【００１０】
また、以下で説明する実施形態１〜３に係る位置情報活用システム１〜３において、携帯端末１０，１０Ａは、携帯端末１０，１０Ａと一の発信機４０との通信状態が、所定の条件を満たす場合、サーバ１００，２００，３００に一の発信機４０の発信機情報を送信する。
【００１１】
また、以下で説明する実施形態１〜３に係る位置情報活用システム１〜３において、携帯端末１０，１０Ａは、携帯端末１０，１０Ａと一の発信機４０とが、所定の距離以上離れるか又は所定の期間以上通信ができない場合、サーバ１００，２００，３００に一の発信機４０の発信機情報と携帯端末１０，１０Ａを識別する端末情報とを送信する。
【００１２】
また、以下で説明する実施形態１〜３に係る位置情報活用システム１〜３において、携帯端末１０，１０Ａは、携帯端末１０，１０Ａに関連付けられた対象物と携帯端末１０，１０Ａとが、所定の距離以上離れた場合、サーバ１００，２００，３００に一の発信機４０の発信機情報と携帯端末１０，１０Ａを識別する端末情報とを送信する。
【００１３】
また、以下で説明する実施形態２に係る位置情報活用システム２は、配置された位置情報又は個体情報を含む発信機情報を発信する複数の発信機４０と、一の発信機４０から一の発信機４０の発信機情報を受信した場合、サーバ２００へ送信する情報として、一の発信機４０の発信機情報と携帯端末１０，１０Ａを識別する端末情報とを対応付ける携帯端末１０，１０Ａとを具備する。
【００１４】
また、以下で説明する実施形態１〜３に係る位置情報活用システム１〜３において、携帯端末１０，１０Ａは、サーバ１００，２００，３００に所定の処理を要求する際に、サーバ１００，２００，３００に一の発信機４０の発信機情報又は端末情報を送信する。
【００１５】
また、以下で説明する実施形態４に係る位置情報活用システム４は、通信機能を有する携帯端末１０と、配置された位置情報又は個体情報を含む発信機情報を発信する発信機４０を有し、携帯端末１０から当該携帯端末１０を識別する端末情報を受信する複数の通信ユニット４００−１，４００−２，４００−３，４００−４（以下、「４００」とする。）と、端末情報を受信した一の通信ユニット４００から、一の通信ユニット４００が有する発信機４０の配置された位置に関連付けられた発信機情報と、端末情報と、を受信した場合、一の通信ユニット４００が有する発信機４０の発信機情報と端末情報とを対応付けるサーバ１００とを具備する。
【００１６】
また、以下で説明する実施形態１〜４に係る位置情報活用システム１〜４は、光源部と制御部を保持する複数の照明器具５１−１，５１−２，５１−３，５１−４（以下、「５１」とする。）を含む照明制御システム５０をさらに具備し、サーバ１００，２００，３００は、携帯端末１０，１０Ａに対応付けられた所定の携帯端末１０，１０Ｂから要求された場合、端末情報に対応付けられた一の発信機４０の発信機情報に基づいて、照明制御システム５０に一の発信機４０の位置から所定の範囲内に配置された照明器具５１を制御するように指示する。
【００１７】
また、以下で説明する実施形態１〜４に係る位置情報活用システム１〜４において、サーバ１００，２００，３００は、携帯端末１０，１０Ａに対応付けられた所定の携帯端末１０，１０Ｂから要求される際に所定の携帯端末１０，１０Ｂから位置情報を受信した場合、所定の携帯端末１０，１０Ｂから受信した位置情報に基づく位置と端末情報に対応付けられた一の発信機４０の位置との間の経路に設置された照明器具５１を、照明制御システム５０に制御するように指示する。
【００１８】
また、以下で説明する実施形態１〜４に係る位置情報活用システム１〜４において、サーバ１００，２００，３００は、携帯端末１０，１０Ａに対応付けられた所定の携帯端末１０，１０Ｂから要求された場合、端末情報に対応付けられた一の発信機４０の発信機情報に基づく地図情報を、所定の携帯端末１０，１０Ｂに送信する。
【００１９】
また、以下で説明する実施形態１〜４に係る位置情報活用システム１〜４において、サーバ１００，２００，３００は、携帯端末１０，１０Ａに対応付けられた所定の携帯端末１０，１０Ｂから要求される際に所定の携帯端末１０，１０Ｂから位置情報を受信した場合、所定の携帯端末１０，１０Ｂから受信した位置情報に基づく位置と端末情報に対応付けられた一の発信機４０の位置との間の経路情報を、所定の携帯端末１０，１０Ｂに送信する。
【００２０】
［実施形態１］
まず、本発明の実施形態１に係る位置情報活用システム１を図面に基いて説明する。図１は、実施形態１に係る位置情報活用システム１の概略構成を示す図である。図１では、位置情報活用システム１を駐車場に適用し、ユーザの位置に関するマーキングに基づいて照明を制御する場合を例示する。
【００２１】
実施形態１に係る位置情報活用システム１は、複数の発信機４０−１，４０−２，４０−３，４０−４と、携帯端末１０と、サーバ１００と、照明制御システム５０とを具備する。以下では、発信機４０−１，４０−２，４０−３，４０−４等について、特に区別なく説明する場合には、発信機４０と記載する。例えば、サーバ１００は、携帯端末１０や照明制御システム５０と所定のネットワークを介して通信可能に接続されている。
【００２２】
発信機４０は、例えば、ビーコンなどの定期的に電波（情報）を発信するデバイスである。また、例えば、発信機４０は、各発信機４０が配置された位置情報又は個体情報を含む発信機情報として発信機ＩＤを発信する。本実施形態において、発信機ＩＤは、発信機４０を識別する個体情報であって、発信機４０が配置された位置に対応付けられるが、詳細は後述する。なお、発信機情報は、各発信機４０が配置された位置情報又は個体情報を含む情報であれば、目的に応じて適宜選択されてもよい。図１に示す例においては、発信機４０は、駐車場の天井に複数設置される。また、各発信機４０は、照明制御システム５０の照明器具５１−１，５１−２，５１−３，５１−４に対応する位置に設置されるが詳細は後述する。以下では、照明器具５１−１，５１−２，５１−３，５１−４等について、特に区別なく説明する場合には、照明器具５１と記載する。なお、図１に示す例では、照明器具５１−１の付近に発信機４０−１が設置され、照明器具５１−２の付近に発信機４０−２が設置され、照明器具５１−３の付近に発信機４０−３が設置され、照明器具５１−４の付近に発信機４０−４が設置される。
【００２３】
携帯端末１０は、ユーザが所有する情報処理装置である。携帯端末１０は、ユーザが持ち運び可能な情報処理装置であればどのような情報処理装置であってもよく、例えば、スマートフォンや、タブレット型端末や、ノート型ＰＣ（Personal  Computer）や、携帯電話機や、ＰＤＡ（Personal  Digital  Assistant）等により実現される。図１に示す例においては、携帯端末１０としてスマートフォンを用いる場合を説明する。なお、以下では、携帯端末１０をユーザと表記する場合がある。すなわち、以下では、ユーザを携帯端末１０と読み替えることもできる。例えば、携帯端末１０は、発信機４０から発信される情報を受信する。具体的には、携帯端末１０は、発信機４０から発信される発信機ＩＤを受信する。また、携帯端末１０は、携帯端末１０を識別する端末情報を発信機４０から受信した発信機ＩＤとともにサーバ１００へ送信する。なお、以下では、端末情報としてユーザＩＤを用いた場合を例に説明する。
【００２４】
サーバ１００は、携帯端末１０から取得した情報等を管理する情報処理装置である。例えば、サーバ１００は、携帯端末１０からユーザＩＤと発信機ＩＤとを受信した場合、発信機ＩＤとユーザＩＤとを対応付ける。以下、ユーザＩＤと発信機ＩＤとを対応付けることをマーキングと称し、対応付けられたユーザＩＤと発信機ＩＤとをマーキング情報と称する場合がある。また、サーバ１００は、照明制御システム５０に照明器具５１−１等を制御するように指示する。例えば、サーバ１００は、携帯端末１０から要求された場合、携帯端末１０から受信したユーザＩＤに対応付けられた発信機ＩＤに基づいて、照明制御システム５０に発信機ＩＤの発信機４０が設置された位置から所定の範囲内に配置された照明器具５１を制御するように指示する。なお、以下では、照明器具５１の制御の一例として、照明器具５１を調光する場合を示すが、サーバ１００は、目的に応じて種々の制御方法を適宜選択してもよい。例えば、サーバ１００は、照明器具５１の出力する光の色を変化させる調色制御や、出力のオンオフの切替え制御や、タイマー制御や、スケジュール制御等を行ってもよい。例えば、サーバ１００は、タイマー制御を行う場合、携帯端末１０から要求されてから所定の時間（例えば５秒など）が経過した後、照明制御システム５０に発信機ＩＤの発信機４０が設置された位置から所定の範囲内に配置された照明器具５１を、点灯、消灯、又は点滅等を行う制御を行ってもよい。
【００２５】
照明制御システム５０は、複数の照明器具５１と、制御装置１５０とを具備する。照明器具５１は、光を放射する光源部（図示省略）と、光源部を制御する制御部（図示省略）とを有する。なお、光源部には、蛍光灯やＬＥＤ（Light  Emitting  Diode）等、目的に応じて種々の光源が用いられてもよい。制御部は、制御装置１５０からの指示に応じて、例えば、光源部の調光を制御したりする。なお、ここで言う調光には、光源部の出力を段階的に制御することや、光源部を点灯状態や消灯状態に変化させることを含む。制御装置１５０は、サーバ１００からの指示に応じて、対応する照明器具５１に調光を指示する。例えば、制御装置１５０は、サーバ１００から受信した位置に関する情報に基づいて、対応する照明器具５１に調光を指示するが、詳細は後述する。
【００２６】
図１に示すように、ユーザの携帯端末１０は発信機４０−２が発信する発信機ＩＤを受信する（図１中の（１））。図１に示す例においては、ユーザは、駐車場において車を停車した際に、発信機４０−２が発信する発信機ＩＤを受信する。そして、携帯端末１０は、例えばユーザの操作に応じて、ユーザＩＤを発信機４０−２から受信した発信機ＩＤとともにサーバ１００へ送信する（図１中の（２））。
【００２７】
サーバ１００は、携帯端末１０からユーザＩＤと発信機ＩＤとを受信した場合、発信機ＩＤとユーザＩＤとを対応付けるマーキングを行う（図１中の（３））。図１に示す例においては、サーバ１００は、携帯端末１０から受信したユーザＩＤである「Ｕ１０」と発信機ＩＤである「Ｂ１２」とを対応付けるマーキングを行う。
【００２８】
その後、ユーザは、サーバ１００に対して、マーキング情報に基づくサービスを要求する（図１中の（４））。具体的には、ユーザは、マーキング情報に基づいて、サーバ１００にマーキングを行った位置付近の照明器具を調光するように要求する。上記の要求がされたサーバ１００は、マーキング情報の発信機ＩＤに対応する位置情報を照明制御システム５０の制御装置１５０に送信することにより、照明制御システム５０に発信機４０−２の位置から所定の範囲内に配置された照明器具５１を調光するように指示する（図１中の（５））。
【００２９】
マーキング情報の発信機ＩＤに対応する位置情報を受信した制御装置１５０は、発信機４０−２の位置から所定の範囲内に配置された照明器具５１に調光を指示する。図１に示す例においては、制御装置１５０は、発信機４０−２の付近に設置された照明器具５１−２に調光を指示する（図１中の（６））。制御装置１５０から調光の指示を受けた照明器具５１−２では、制御部により光源部から放射する光が調光される（図１中の（７））。図１に示す例においては、照明器具５１−２を含む照明器具５１が消灯している状態であるので、制御装置１５０は、照明器具５１−２に光源部を点灯するように指示する。これにより、ユーザは、マーキング情報に基づいて照明を制御するサービスを受けることができる。図１に示す例においては、ユーザは、車を駐車した際に受信した発信機ＩＤをサーバ１００に送信しておくことにより、駐車した車の位置を忘れた場合であっても、マーキング情報に基づいて車付近の照明が点灯し、容易に車を見つけることが可能となる。なお、携帯端末１０が複数の発信機ＩＤを受信する場合、例えば受信強度が最も高い発信機ＩＤのみを受信した発信機ＩＤとしてもよい。また、携帯端末１０が所定の閾値を超える受信強度の発信機ＩＤのみを受信した発信機ＩＤとしてもよい。また、サーバ１００は、複数の携帯端末１０からマーキング情報に基づくサービスを要求された場合、携帯端末１０毎に対応する調光を照明器具５１に指示してもよい。例えば、サーバ１００は、色や点滅方法等が異なる調光を携帯端末１０毎に対応する調光を照明器具５１に指示してもよい。
【００３０】
［サーバの構成例］
次に、図２を用いて、実施形態１に係るサーバ１００の構成について説明する。図２は、実施形態１に係るサーバの構成を示すブロック図である。図２に示すように、サーバ１００は、通信部１１０と、記憶部１２０と、制御部１３０とを有する。なお、サーバ１００は、サーバ１００の管理者等から各種操作を受け付ける入力部（例えば、キーボードやマウス等）や、各種情報を表示するための表示部（例えば、液晶ディスプレイ等）を有してもよい。
【００３１】
通信部１１０は、例えば、ＮＩＣ（Network  Interface  Card）によって実現される。かかる通信部１１０は、図示しない所定のネットワークと有線又は無線で接続される。そして、通信部１１０は、図示しない所定のネットワークを介して、携帯端末１０や照明制御システム５０との間で情報の送受信を行う。
【００３２】
記憶部１２０は、例えば、ＲＡＭ（Random  Access  Memory）、フラッシュメモリ（Flash  Memory）等の半導体メモリ素子、又は、ハードディスク、光ディスク等の記憶装置によって実現される。実施形態１に係る記憶部１２０は、図２に示すように、発信機情報記憶部１２１と、マーキング情報記憶部１２２とを有する。
【００３３】
発信機情報記憶部１２１は、発信機４０に関する情報を記憶する。図３は、発信機情報記憶部１２１に記憶される発信機４０に関する情報の一例を示す。図３に示すように、発信機情報記憶部１２１は、発信機４０に関する情報として、「発信機ＩＤ」、「設置位置」といった項目を有する。
【００３４】
「発信機ＩＤ」は、発信機４０を識別するための識別情報を示す。また、「設置位置」は、発信機４０が設置された位置に関する情報を示す。「設置位置」としては、複数の発信機４０を設置する範囲内において所定のエリア毎に割り当てた識別情報（以下、「エリアＩＤ」と称する場合がある）を用いてもよいし、緯度・経度に関する情報を用いてもよい。図３に示す例においては、「設置位置」として、「Ｐ１１」や「Ｐ１２」等のエリアＩＤを用いる場合を示す。例えば、図３の例では、発信機ＩＤ「Ｂ１１」により識別される発信機４０は、設置位置「Ｐ１１」により識別されるエリアに設置される。
【００３５】
マーキング情報記憶部１２２は、マーキング情報を記憶する。図４は、マーキング情報記憶部１２２に記憶されるマーキング情報の一例を示す。図４に示すように、マーキング情報記憶部１２２は、マーキング情報として、「ユーザＩＤ」、「発信機ＩＤ」、「受信日時」といった項目を有する。
【００３６】
「ユーザＩＤ」は、携帯端末１０を識別するための識別情報を示す。「発信機ＩＤ」は、発信機４０を識別するための識別情報を示す。また、「受信日時」は、ユーザＩＤと発信機ＩＤとをサーバ１００が受信した日時に関する情報を記憶する。例えば、図４の例は、ユーザＩＤ「Ｕ１５」と発信機ＩＤ「Ｂ２０」とを受信日時「２０１５／０２／０７／１６：４１：２３」にサーバ１００が受信したことを示す。つまり、図４に示す例において、マーキング情報記憶部１２２には、ユーザＩＤ「Ｕ１５」と発信機ＩＤ「Ｂ２０」とが対応付けられ、マーキング情報として記憶される。また、マーキング情報記憶部１２２には、ユーザＩＤ「Ｕ１１」と発信機ＩＤ「Ｂ１３」とが対応付けられ、マーキング情報として記憶される。
【００３７】
図２の説明に戻って、制御部１３０は、各種の処理手順などを規定したプログラム及び所要データを格納するための内部メモリを有し、これらによって種々の処理を実行するが、特に本発明に密接に関連するものとしては、受信部１３１、抽出部１３２、及び送信部１３３を有する。
【００３８】
受信部１３１は、携帯端末１０から送信されたユーザＩＤと発信機ＩＤとを受信する。また、受信部１３１は、受信したユーザＩＤと発信機ＩＤとを対応付けてマーキング情報記憶部１２２に格納する。また、受信部１３１は、携帯端末１０からマーキング情報に基づくサービスを要求する情報として、携帯端末１０からユーザＩＤを受信する。
【００３９】
抽出部１３２は、携帯端末１０から要求された場合、マーキング情報記憶部１２２から携帯端末１０に対応するマーキング情報を抽出する。例えば、抽出部１３２は、携帯端末１０に対応するマーキング情報が複数ある場合、受信日時が最先のマーキング情報を抽出してもよい。例えば、抽出部１３２は、ユーザＩＤ「Ｕ１８」により識別される携帯端末１０から要求された場合、マーキング情報記憶部１２２からユーザＩＤ「Ｕ１８」と発信機ＩＤ「Ｂ１１」とのマーキング情報を抽出する。
【００４０】
また、抽出部１３２は、抽出したマーキング情報に基づいて、発信機情報記憶部１２１から発信機に関する情報を抽出する。具体的には、抽出部１３２は、抽出したマーキング情報の発信機ＩＤにより識別される発信機に関する情報を発信機情報記憶部１２１から抽出する。例えば、抽出部１３２は、マーキング情報記憶部１２２からユーザＩＤ「Ｕ１８」と発信機ＩＤ「Ｂ１１」とのマーキング情報を抽出した場合、発信機情報記憶部１２１から発信機ＩＤ「Ｂ１１」の発信機に関する情報を抽出する。具体的には、抽出部１３２は、発信機情報記憶部１２１から発信機ＩＤ「Ｂ１１」が設置位置「Ｐ１１」であることを示す情報を抽出する。
【００４１】
送信部１３３は、マーキング情報の発信機ＩＤに対応する位置情報を照明制御システム５０の制御装置１５０に送信する。例えば、送信部１３３は、抽出部１３２により発信機情報記憶部１２１から抽出された発信機ＩＤに対応する設置位置を照明制御システム５０の制御装置１５０に送信する。
【００４２】
［照明制御システムの構成例］
次に、図５を用いて、実施形態１に係る照明制御システム５０の構成について説明する。図５は、実施形態１に係る照明制御システムの構成を示すブロック図である。図５に示すように、照明制御システム５０は、複数の照明器具５１と、制御装置１５０とを具備する。制御装置１５０は、通信部１６０と、記憶部１７０と、制御部１８０とを有する。なお、制御装置１５０は、照明制御システム５０の管理者等から各種操作を受け付ける入力部（例えば、キーボードやマウス等）や、各種情報を表示するための表示部（例えば、液晶ディスプレイ等）を有してもよい。
【００４３】
通信部１６０は、例えば、ＮＩＣによって実現される。かかる通信部１６０は、図示しない所定のネットワークと有線又は無線で接続される。そして、通信部１６０は、図示しない所定のネットワークを介して、照明器具５１やサーバ１００との間で情報の送受信を行う。
【００４４】
記憶部１７０は、例えば、ＲＡＭ、フラッシュメモリ等の半導体メモリ素子、又は、ハードディスク、光ディスク等の記憶装置によって実現される。実施形態１に係る記憶部１７０は、図５に示すように、照明情報記憶部１７１を有する。
【００４５】
照明情報記憶部１７１は、照明制御システム５０の照明器具５１に関する情報を記憶する。図６は、照明情報記憶部１７１に記憶される照明器具５１に関する情報の一例を示す。図６に示すように、照明情報記憶部１７１は、照明器具５１に関する情報として、「照明ＩＤ」、「設置位置」、「点灯状態」といった項目を有する。
【００４６】
「照明ＩＤ」は、照明器具５１を識別するための識別情報を示す。また、「設置位置」は、照明器具５１が設置された位置に関する情報を示す。「設置位置」としては、複数の照明器具５１を設置する範囲内において所定のエリア毎に割り当てた識別情報（エリアＩＤ）を用いてもよいし、緯度・経度に関する情報を用いてもよい。図６に示す例においては、「設置位置」として、「Ｐ１１」や「Ｐ１２」等のエリアＩＤを用いる場合を示す。例えば、図６の例では、照明ＩＤ「Ｌ１１」により識別される照明器具５１は、設置位置「Ｐ１１」により識別されるエリアに設置される。また、「点灯状態」は、照明ＩＤにより識別される照明器具５１の光源部が点灯状態に関する情報を示す。図６に示す例においては、照明ＩＤ「Ｌ１１」により識別される照明器具５１は、点灯状態「ＯＦＦ」、すなわち消灯していることを示す。なお、「点灯状態」として格納される情報は、照明器具５１の光源部の出力状態を示す（例えば０が消灯状態を示し、１００が全点灯状態を示す）数値であってもよい。
【００４７】
ここで、図６に示す例においては、「設置位置」として、発信機情報記憶部１２１に記憶される「設置位置」と同様のエリアＩＤが用いられる。つまり、図３及び図６に示す例において、発信機ＩＤ「Ｂ１１」により識別される発信機４０と、照明ＩＤ「Ｌ１１」により識別される照明器具５１とは、同じエリアＩＤ「Ｐ１１」により識別される位置に設置される。例えば、図１に示す例において、発信機４０−１と照明器具５１−１とは、同じエリアＩＤにより識別される位置に設置される。なお、発信機情報記憶部１２１及び照明情報記憶部１７１に「設置位置」として、緯度・経度に関する情報を記憶し、発信機４０及び照明器具５１が設置された緯度・経度に関する情報に基づいて制御を行ってもよい。例えば、制御装置１５０は、サーバ１００から取得した緯度・経度との差が、所定の範囲内の照明器具５１に対して調光を指示してもよい。
【００４８】
図５の説明に戻って、制御部１８０は、各種の処理手順などを規定したプログラム及び所要データを格納するための内部メモリを有し、これらによって種々の処理を実行するが、特に本発明に密接に関連するものとしては、受信部１８１、判定部１８２、及び送信部１８３を有する。
【００４９】
受信部１８１は、外部の情報処理装置から位置情報を受信する。具体的には、受信部１８１は、サーバ１００からマーキング情報の発信機ＩＤに対応する位置情報を受信する。例えば、受信部１８１は、サーバ１００からマーキング情報の発信機ＩＤにより識別される発信機４０が設置された位置のエリアＩＤを受信する。
【００５０】
判定部１８２は、サーバ１００からマーキング情報の発信機ＩＤに対応する位置情報を受信された場合、受信した位置情報に基づいて調光を指示する照明器具５１を判定する。例えば、判定部１８２は、サーバ１００からエリアＩＤを受信した場合、受信したエリアＩＤに基づいて調光を指示する照明器具５１を判定する。具体的には、判定部１８２は、サーバ１００から受信したエリアＩＤと対応付けて照明情報記憶部１７１に格納された照明ＩＤにより識別される照明器具５１を、調光を指示する照明器具５１として判定する。つまり、判定部１８２は、サーバ１００から受信したエリアＩＤにより識別されるエリアに設置された照明器具５１を、調光を指示する照明器具５１として判定する。
【００５１】
例えば、図６に示す例において、判定部１８２は、受信部１８１によりエリアＩＤ「Ｐ１２」が受信された場合、設置位置「Ｐ１２」に対応付けられた照明ＩＤ「Ｌ１２」により識別される照明器具５１を、調光を指示する照明器具５１として判定する。なお、判定部１８２は、サーバ１００から受信したエリアＩＤにより識別されるエリアと近接するエリアのエリアＩＤと対応付けられた照明ＩＤにより識別される照明器具５１を、調光を指示する照明器具５１として判定してもよい。
【００５２】
送信部１８３は、照明器具５１に対して、調光を指示する情報を送信する。例えば、送信部１８３は、判定部１８２により調光を指示する照明器具５１として判定された照明器具５１に対して、調光を指示する情報を送信する。
【００５３】
［携帯端末の構成］
続いて、図７を用いて、携帯端末１０の構成を説明する。図７は、実施形態１に係る携帯端末の構成を示すブロック図である。以下に示す携帯端末１０は、発信機４０から発信される発信機ＩＤを受信したり、受信した発信機ＩＤやユーザＩＤなどをサーバ１００へ送信したりする。図７に示すように、携帯端末１０は、通信部１１、記憶部１２、入力部１３、出力部１４、及び制御部１５を有する。以下に、これらの各部の処理を説明する。
【００５４】
通信部１１は、例えば、通信回路等によって実現される。そして、通信部１１は、外部の情報処理装置との間で情報の送受信を行う。例えば、通信部１１は、発信機４０やサーバ１００との間で情報の送受信を行う。通信部１１は、例えば、発信機４０がビーコンである場合、Ｂｌｕｅｔｏｏｔｈ（登録商標）の機能を有してもよい。
【００５５】
記憶部１２は、制御部１５による各種処理に必要なデータおよびプログラムを格納する。また、記憶部１２は、受信した発信機ＩＤやユーザＩＤなど各種情報を格納する。なお、記憶部１２とは、ＲＡＭ、ＲＯＭ（Read  Only  Memory）、フラッシュメモリなどの半導体メモリ素子、又は、ハードディスク、光ディスクなどの記憶装置である。
【００５６】
入力部１３は、ユーザの操作が入力される。例えば、入力部１３は、携帯端末１０がタッチパネルの機能を有する場合、携帯端末１０の表示画面を介してユーザから各種操作を受け付ける。また、入力部１３は、音声認識の機能により携帯端末１０のマイクを介してユーザから各種操作を受け付けてもよい。
【００５７】
出力部１４は、例えば液晶ディスプレイや有機ＥＬ（Electro-Luminescence）ディスプレイ等によって実現される携帯端末１０の表示画面を備え、各種情報を表示する。例えば、出力部１４は、発信機４０から受信した発信機ＩＤを用いてマーキングを行うかどうかを確認する画面を出力する。
【００５８】
制御部１５は、各種の処理手順などを規定したプログラムおよび所要データを格納するための内部メモリを有し、これらによって種々の処理を実行するが、特に本発明に密接に関連するものとしては、受信部１６、抽出部１７及び送信部１８を有する。
【００５９】
受信部１６は、発信機４０から発信される発信機ＩＤを受信する。また、受信部１６は、例えば、受信した発信機ＩＤを記憶部１２に格納する。
【００６０】
抽出部１７は、サーバ１００に対してユーザＩＤと発信機ＩＤとを送信する場合、記憶部１２から発信機ＩＤを抽出する。例えば、抽出部１７は、記憶部１２に記憶された発信機ＩＤが複数ある場合、受信日時が最先の発信機ＩＤを抽出してもよい。
【００６１】
送信部１８は、発信機４０から受信した発信機ＩＤをユーザＩＤとともにサーバ１００に送信する。例えば、送信部１８は、抽出部１７により記憶部１２から抽出された発信機ＩＤとユーザＩＤとをサーバ１００に送信する。なお、送信部１８が発信機ＩＤとユーザＩＤとをサーバ１００に送信するタイミングは、ユーザによる操作が行われた時点であってもよいし、受信した発信機ＩＤにより識別される発信機４０と、携帯端末１０との通信状態が、所定の条件を満たす場合であってもよい。
【００６２】
例えば、送信部１８は、受信した発信機ＩＤにより識別される発信機４０と、携帯端末１０とが、所定の距離以上離れるか又は所定の期間以上通信ができない場合、発信機ＩＤとユーザＩＤとをサーバ１００に送信してもよい。例えば、携帯端末１０は、受信した発信機ＩＤにより識別される発信機４０からの受信強度が所定の閾値未満になってから、所定の期間が経過した場合、受信した発信機ＩＤとユーザＩＤとをサーバ１００に送信してもよい。また、送信部１８は、携帯端末１０に関連付けられた対象物と携帯端末１０とが、所定の距離以上離れた場合、発信機ＩＤとユーザＩＤとをサーバ１００に送信してもよい。送信部１８は、図１に示す例において、ユーザの携帯端末１０とユーザの車が所定の距離以上離れた場合、発信機ＩＤとユーザＩＤとをサーバ１００に送信してもよい。例えば、ユーザは、携帯端末１０と車とを対応付けることによりグループ化してもよい。例えば、携帯端末１０は、所定の間隔で車の位置情報を取得し、取得した位置情報に基づく車の位置が携帯端末１０の位置から所定の距離だけ離間した場合、発信機ＩＤとユーザＩＤとをサーバ１００に送信してもよい。
【００６３】
また、送信部１８は、サーバ１００にマーキング情報に基づくサービスを要求する情報を送信する。例えば、送信部１８は、サーバ１００にマーキング情報に基づくサービスを要求する情報として、ユーザＩＤを送信する。
【００６４】
なお、携帯端末１０には、位置情報活用アプリケーションがインストールされたスマートフォンやタブレット端末等であってもよい。例えば、携帯端末１０が、位置情報活用アプリケーションがインストールされたスマートフォンである場合、制御部１５や記憶部１２については、携帯端末１０にインストールされた位置情報活用アプリケーションの機能であってもよい。
【００６５】
［位置情報活用システムによる処理］
次に、図８を用いて、実施形態１に係る位置情報活用システム１による位置情報活用処理を説明する。図８は、実施形態１に係る位置情報活用システムにおける位置情報活用処理の手順を示すシーケンス図である。
【００６６】
図８に示すように、携帯端末１０は、発信機４０から配置された位置情報又は個体情報を含む発信機情報を受信する（ステップＳ１０１）。例えば、携帯端末１０は、発信機４０から発信機ＩＤを受信する。そして、発信機４０から発信機情報を受信した携帯端末１０は、受信した発信機情報を端末情報とともにサーバ１００へ送信する（ステップＳ１０２）。例えば、発信機４０から発信機ＩＤを受信した携帯端末１０は、受信した発信機ＩＤをユーザＩＤとともにサーバ１００へ送信する。
【００６７】
そして、サーバ１００は、ユーザＩＤと発信機ＩＤとを受信した場合、受信したユーザＩＤと発信機ＩＤとを対応付けるマーキングを行う（ステップＳ１０３）。例えば、サーバ１００は、ユーザＩＤと発信機ＩＤとを受信した場合、マーキング情報として、受信したユーザＩＤと発信機ＩＤとを対応付けてマーキング情報記憶部１２２に格納する。
【００６８】
サーバ１００は、マーキングを行った後、携帯端末１０からマーキング情報に基づくサービスを要求された場合（ステップＳ１０４）、携帯端末１０に対応する位置情報を抽出する（ステップＳ１０５）。例えば、サーバ１００は、携帯端末１０からマーキング情報に基づくサービスを要求する情報としてユーザＩＤを受信した場合、受信したユーザＩＤに対応するマーキング情報を抽出する。サーバ１００は、抽出したマーキング情報に基づいて、発信機に関する情報を抽出する。
【００６９】
その後、サーバ１００は、抽出した位置情報を送信することにより、照明制御システム５０の制御装置１５０に照明器具５１の制御を指示する（ステップＳ１０６）。例えば、サーバ１００は、抽出したマーキング情報の発信機ＩＤに対応する位置情報を照明制御システム５０の制御装置１５０に送信する。具体的には、抽出したマーキング情報の発信機ＩＤにより識別される発信機４０の設置位置を示すエリアＩＤを制御装置１５０に送信する。
【００７０】
続けて、照明制御システム５０の制御装置１５０は、サーバ１００から受信した位置情報に基づいて、調光を指示する照明器具５１を判定する（ステップＳ１０７）。例えば、制御装置１５０は、サーバ１００から受信したエリアＩＤと対応付けられた照明ＩＤにより識別される照明器具５１を、調光を指示する照明器具５１として判定する。
【００７１】
その後、制御装置１５０は、調光を指示する照明器具５１として判定された照明器具５１に対して、調光を指示する（ステップＳ１０８）。そして、制御装置１５０から調光の指示を受け付けた照明器具５１の制御部は、制御装置１５０からの指示の内容に基づいて、光源部の調光を制御する（ステップＳ１０９）。例えば、制御装置１５０は、調光を指示する照明器具５１を含む周囲の照明器具５１が消灯している場合、調光を指示する照明器具５１に点灯を指示する。また、例えば、制御装置１５０は、調光を指示する照明器具５１を含む周囲の照明器具５１が点灯している場合、調光を指示する照明器具５１に消灯を指示してもよい。
【００７２】
［実施形態１の効果］
上述のように、実施形態１に係る位置情報活用システム１は、複数の発信機４０と、携帯端末１０と、サーバ１００とを具備する。複数の発信機４０は、配置された位置情報又は個体情報を含む発信機情報を発信する。また、携帯端末１０は、複数の発信機４０から発信される発信機情報を受信する。サーバ１００は、携帯端末１０から、一の発信機４０の発信機情報と携帯端末１０を識別する端末情報とを受信した場合、一の発信機４０の発信機情報と端末情報とを対応付ける。
【００７３】
これにより、位置情報活用システム１は、制御を行う時点でのユーザ本人の位置や状態によらないサービスの提供を支援することができる。例えば、位置情報活用システム１は、マーキング情報として、発信機４０の発信機情報と端末情報とを対応付けて格納し、所定の期間経過後において、マーキング情報を用いてサービスの提供を支援することができる。
【００７４】
また、実施形態１に係る位置情報活用システム１において、携帯端末１０は、携帯端末１０と一の発信機４０との通信状態が、所定の条件を満たす場合、サーバ１００に一の発信機４０の発信機情報と携帯端末１０を識別する端末情報とを送信する。
【００７５】
これにより、位置情報活用システム１においては、携帯端末１０から外部へ送信される情報量を抑制し、携帯端末１０とサーバ１００との間の通信量を抑制することができるとともに、制御を行う時点でのユーザ本人の位置や状態によらないサービスの提供を支援することができる。
【００７６】
また、実施形態１に係る位置情報活用システム１において、携帯端末１０は、携帯端末１０と一の発信機４０とが、所定の距離以上離れるか又は所定の期間以上通信ができない場合、サーバ１００に一の発信機４０の発信機情報と携帯端末１０を識別する端末情報とを送信する。
【００７７】
これにより、位置情報活用システム１においては、携帯端末１０から外部へ送信される情報量を抑制し、携帯端末１０とサーバ１００との間の通信量を抑制することができるとともに、制御を行う時点でのユーザ本人の位置や状態によらないサービスの提供を支援することができる。
【００７８】
また、実施形態１に係る位置情報活用システム１において、携帯端末１０は、携帯端末１０に関連付けられた対象物と携帯端末１０とが、所定の距離以上離れた場合、サーバ１００に一の発信機４０の発信機情報と携帯端末１０を識別する端末情報とを送信する。
【００７９】
これにより、位置情報活用システム１においては、携帯端末１０から外部へ送信される情報量を抑制し、携帯端末１０とサーバ１００との間の通信量を抑制することができるとともに、制御を行う時点でのユーザ本人の位置や状態によらないサービスの提供を支援することができる。
【００８０】
また、実施形態１に係る位置情報活用システム１において、携帯端末１０は、サーバ１００に所定の処理を要求する際に、サーバ１００に一の発信機４０の発信機情報又は端末情報を送信する。
【００８１】
これにより、位置情報活用システム１においては、携帯端末１０から外部へ送信される情報量を抑制し、携帯端末１０とサーバ１００との間の通信量を抑制することができるとともに、制御を行う時点でのユーザ本人の位置や状態によらないサービスの提供を支援することができる。
【００８２】
また、実施形態１に係る位置情報活用システム１は、光源部と制御部を保持する複数の照明器具５１を含む照明制御システム５０をさらに具備し、サーバ１００は、携帯端末１０に対応付けられた所定の携帯端末１０から要求された場合、端末情報に対応付けられた一の発信機４０の発信機情報に基づいて、照明制御システム５０に一の発信機４０の位置から所定の範囲内に配置された照明器具５１を制御するように指示する。
【００８３】
これにより、位置情報活用システム１は、制御を行う時点でのユーザ本人の位置や状態によらないサービスの提供を支援することができる。具体的には、位置情報活用システム１を利用するユーザは、マーキング情報に基づいて照明を制御するサービスを受けることができる。図１に示す例においては、ユーザは、車を駐車した際に受信した発信機ＩＤをサーバ１００に送信しておくことにより、駐車した車の位置を忘れた場合であっても、マーキング情報に基づいて車付近の照明が点灯し、容易に車を見つけることが可能となる。
【００８４】
［実施形態２］
実施形態１に係る位置情報活用システム１においては、サーバ１００においてマーキングが行われる。一方、実施形態２に係る位置情報活用システム２においては、携帯端末１０においてマーキングが行われる点で実施形態１と相違する。この点を図面に基いて説明する。なお、実施形態１と同一部分には、同一符号を付して説明を省略する。サーバ及びその構成については、実施形態１の構成と同一又は対応する構成については「１００」を加算した符号（２＊＊）を付すことにより重複する説明を省略する。
【００８５】
図９では、位置情報活用システム２を駐車場に適用し、ユーザの位置に関するマーキングに基づいて照明を制御する場合を例示する。図９に示すように、ユーザの携帯端末１０は発信機４０−２が発信する発信機ＩＤを受信する（図９中の（１））。図９に示す例においては、ユーザは、駐車場において車を停車した際に、発信機４０−２が発信する発信機ＩＤを受信する。そして、携帯端末１０は、例えばユーザの操作に応じて、マーキング情報として発信機４０−２から受信した発信機ＩＤをユーザＩＤに対応付ける（図９中の（２））。図９に示す例においては、携帯端末１０は、発信機４０−２が発信する発信機ＩＤである「Ｂ１２」を携帯端末１０のユーザＩＤ「Ｕ１０」に対応付けるマーキングを行う。
【００８６】
その後、ユーザは、サーバ２００に対して、マーキング情報を送信することにより、マーキング情報に基づくサービスを要求する（図９中の（３））。具体的には、ユーザは、マーキング情報に基づいて、サーバ２００にマーキングを行った位置付近の照明器具５１を制御するように要求する。なお、以下では、照明器具５１の制御の一例として、照明器具５１を調光する場合を示すが、サーバ２００は、目的に応じて種々の制御方法を適宜選択してもよい。例えば、サーバ２００は、照明器具５１の出力する光の色を変化させる調色制御や、出力のオンオフの切替え制御や、タイマー制御や、スケジュール制御等を行ってもよい。例えば、サーバ２００は、タイマー制御を行う場合、携帯端末１０から要求されてから所定の時間（例えば５秒など）が経過した後、照明制御システム５０に発信機ＩＤの発信機が設置された位置から所定の範囲内に配置された照明器具５１を、点灯、消灯、又は点滅等を行う制御を行ってもよい。上記の要求がされたサーバ２００は、マーキング情報の発信機ＩＤに対応する位置情報を照明制御システム５０の制御装置１５０に送信することにより、照明制御システム５０に発信機４０−２の位置から所定の範囲内に配置された照明器具５１を調光するように指示する（図９中の（４））。
【００８７】
マーキング情報の発信機ＩＤに対応する位置情報を受信した制御装置１５０は、発信機４０−２の位置から所定の範囲内に配置された照明器具５１に調光を指示する。図９に示す例においては、制御装置１５０は、発信機４０−２の付近に設置された照明器具５１−２に調光を指示する（図９中の（５））。制御装置１５０から調光の指示を受けた照明器具５１−２では、制御部により光源部から放射する光が調光される（図９中の（６））。図９に示す例においては、照明器具５１−２を含む照明器具５１が消灯している状態であるので、制御装置１５０は、照明器具５１−２に光源部を点灯するように指示する。これにより、ユーザは、マーキング情報に基づいて照明を制御するサービスを受けることができる。図９に示す例においては、ユーザは、車を駐車した際に受信した発信機ＩＤをサーバ２００に送信しておくことにより、駐車した車の位置を忘れた場合であっても、マーキング情報に基づいて車付近の照明が点灯し、容易に車を見つけることが可能となる。
【００８８】
次に、図１０を用いて、実施形態２に係るサーバ２００の構成について説明する。図１０は、実施形態２に係るサーバの構成を示すブロック図である。図１０に示すように、サーバ２００は、記憶部２２０にマーキング情報記憶部を有しない点において、サーバ１００と相違する。サーバ２００は、携帯端末１０がマーキング情報に基づくサービスを要求する際に送信するマッチング情報を用いて、マーキング情報の発信機ＩＤにより識別される発信機に関する情報を発信機情報記憶部２２１から抽出する。
【００８９】
実施形態２に係る位置情報活用システム２においては、携帯端末１０の記憶部１２には、発信機４０から受信した発信機に関する情報を記憶する。図１１は、記憶部１２に記憶された発信機に関する情報の一例を示す。図１１に示すように、記憶部１２は、発信機に関する情報として、「発信機ＩＤ」、「受信日時」といった項目を有する。例えば、図１１の例は、発信機ＩＤ「Ｂ３０」を受信日時「２０１５／０２／０９／１８：２２：５６」に携帯端末１０が受信したことを示す。
【００９０】
また、送信部１８は、マーキング情報を送信することにより、サーバ２００にマーキング情報に基づくサービスを要求する。
【００９１】
［位置情報活用システムによる処理］
次に、図１２を用いて、実施形態２に係る位置情報活用システム２による位置情報活用処理を説明する。図１２は、実施形態２に係る位置情報活用システムにおける位置情報活用処理の手順を示すシーケンス図である。
【００９２】
図１２に示すように、携帯端末１０は、発信機４０から個体情報である発信機情報を受信する（ステップＳ２０１）。例えば、携帯端末１０は、発信機４０から発信機ＩＤを受信する。そして、携帯端末１０は、発信機ＩＤを受信した場合、受信した発信機ＩＤをユーザＩＤに対応付けるマーキングを行う（ステップＳ２０２）。
【００９３】
マーキングを行った後、携帯端末１０は、マーキング情報を送信することにより、サーバ２００にマーキング情報に基づくサービスを要求する（ステップＳ２０３）。サーバ２００は、マーキング情報に基づくサービスを要求された場合、携帯端末１０に対応する位置情報を抽出する（ステップＳ２０４）。例えば、サーバ２００は、受信したマーキング情報に基づいて、発信機に関する情報を抽出する。
【００９４】
ステップＳ２０５〜Ｓ２０８の処理は、図８に示すステップＳ１０６〜Ｓ１０９に対応する。簡単に説明すると、サーバ２００は、抽出した位置情報を送信することにより、照明制御システム５０の制御装置１５０に照明器具５１の制御を指示する（ステップＳ２０５）。続けて、照明制御システム５０の制御装置１５０は、サーバ２００から受信した位置情報に基づいて、調光を指示する照明器具５１を判定する（ステップＳ２０６）。その後、制御装置１５０は、調光を指示する照明器具５１として判定された照明器具５１に対して、調光を指示する（ステップＳ２０７）。そして、制御装置１５０から調光の指示を受け付けた照明器具５１の制御部は、制御装置１５０からの指示の内容に基づいて、光源部の調光を制御する（ステップＳ２０８）。
【００９５】
［実施形態２の効果］
上述のように、実施形態２に係る位置情報活用システム２は、複数の発信機４０と、携帯端末１０とを具備する。複数の発信機４０は、配置された位置情報又は個体情報を含む発信機情報を発信する。また、携帯端末１０は、一の発信機４０から一の発信機４０の発信機情報を受信した場合、サーバ２００へ送信する情報として、一の発信機４０の発信機情報と携帯端末１０を識別する端末情報とを対応付ける。
【００９６】
これにより、位置情報活用システム２は、制御を行う時点でのユーザ本人の位置や状態によらないサービスの提供を支援することができる。例えば、位置情報活用システム２は、マーキング情報として、発信機４０の個体情報と端末情報とを対応付けて格納し、所定の期間経過後において、マーキング情報を用いてサービスの提供を支援することができる。さらに、携帯端末１０から外部へ送信される情報量を抑制し、携帯端末１０とサーバ２００との間の通信量を抑制することができるとともに、制御を行う時点でのユーザ本人の位置や状態によらないサービスの提供を支援することができる。
【００９７】
また、実施形態２に係る位置情報活用システム２において、携帯端末１０は、サーバ２００に所定の処理を要求する際に、サーバ２００に一の発信機４０の発信機情報又は端末情報を送信する。
【００９８】
これにより、位置情報活用システム２においては、携帯端末１０から外部へ送信される情報量を抑制し、携帯端末１０とサーバ２００との間の通信量を抑制することができるとともに、制御を行う時点でのユーザ本人の位置や状態によらないサービスの提供を支援することができる。
【００９９】
［実施形態３］
実施形態１に係る位置情報活用システム１においては、携帯端末１０のマーキング情報に基づいて携帯端末１０を所有するユーザにサービスが提供される。一方、実施形態３に係る位置情報活用システム３においては、マーキングを行う携帯端末１０とマーキング情報に基づくサービスを要求する携帯端末１０とが異なる点で実施形態１と相違する。この点を図面に基いて説明する。なお、実施形態１と同一部分には、同一符号を付して説明を省略する。サーバ及びその構成については、実施形態１の構成と同一又は対応する構成については「２００」を加算した符号（３＊＊）を付すことにより重複する説明を省略する。
【０１００】
図１３では、位置情報活用システム３を迷子になった子どもを探す場面に適用し、子ユーザの位置に関するマーキングに基づいて照明を制御する場合を例示する。以下で示す、子ユーザの携帯端末１０Ａ及び親ユーザの携帯端末１０Ｂは、携帯端末１０と同様の構成である。図１３に示すように、子ユーザの携帯端末１０Ａは発信機４０−２が発信する発信機ＩＤを受信する（図１３中の（１））。そして、携帯端末１０Ａは、例えば親ユーザの携帯端末１０Ｂと所定の距離離れた場合に、ユーザＩＤを発信機４０−２から受信した発信機ＩＤとともにサーバ３００へ送信する（図１３中の（２））。
【０１０１】
サーバ３００は、携帯端末１０ＡからユーザＩＤと発信機ＩＤとを受信した場合、発信機ＩＤとユーザＩＤとを対応付けるマーキングを行う（図１３中の（３））。図１３に示す例においては、サーバ３００は、携帯端末１０Ａから受信したユーザＩＤである「Ｕ１１１」と発信機ＩＤである「Ｂ１２」とを対応付けるマーキングを行う。
【０１０２】
その後、親ユーザは、サーバ３００に対して、子ユーザの携帯端末１０Ａのマーキング情報に基づくサービスを要求する（図１３中の（４））。具体的には、親ユーザは、マーキング情報に基づいて、サーバ３００にマーキングを行った位置付近の照明器具を制御するように要求する。なお、以下では、照明器具５１の制御の一例として、照明器具５１を調光する場合を示すが、サーバ３００は、目的に応じて種々の制御方法を適宜選択してもよい。例えば、サーバ３００は、照明器具５１の出力する光の色を変化させる調色制御や、出力のオンオフの切替え制御や、タイマー制御や、スケジュール制御等を行ってもよい。例えば、サーバ３００は、タイマー制御を行う場合、携帯端末１０Ｂから要求されてから所定の時間（例えば５秒など）が経過した後、照明制御システム５０に発信機ＩＤの発信機が設置された位置から所定の範囲内に配置された照明器具５１を、点灯、消灯、又は点滅等を行う制御を行ってもよい。上記の要求がされたサーバ３００は、マーキング情報の発信機ＩＤに対応する位置情報を照明制御システム５０の制御装置１５０に送信することにより、照明制御システム５０に発信機４０−２の位置から所定の範囲内に配置された照明器具５１を調光するように指示する（図１３中の（５））。
【０１０３】
マーキング情報の発信機ＩＤに対応する位置情報を受信した制御装置１５０は、発信機４０−２の位置から所定の範囲内に配置された照明器具５１に調光を指示する。図１３に示す例においては、制御装置１５０は、発信機４０−２の付近に設置された照明器具５１−２に調光を指示する（図１３中の（６））。制御装置１５０から調光の指示を受けた照明器具５１−２では、制御部により光源部から放射する光が調光される（図１３中の（７））。図１３に示す例においては、照明器具５１−２を含む照明器具５１が消灯している状態であるので、制御装置１５０は、照明器具５１−２に光源部を点灯するように指示する。これにより、ユーザは、他のユーザのマーキング情報に基づいて照明を制御するサービスを受けることができる。図１３に示す例においては、親ユーザは、子ユーザのマーキング情報に基づいて子ユーザが位置する付近の照明が点灯し、容易に子ユーザを見つけることが可能となる。
【０１０４】
なお、子ユーザの携帯端末１０Ａは、例えば親ユーザの携帯端末１０Ｂと所定の距離離れた場合に、ユーザＩＤを発信機４０から受信した発信機ＩＤとともにサーバ３００へ送信を開始した後（図１３中の（２）参照）は、例えば５分間隔等の所定の間隔でユーザＩＤを発信機４０から受信した発信機ＩＤとともにサーバ３００へ送信してもよい。この場合、サーバ３００は、携帯端末１０Ａから受信した日時が最新のユーザＩＤと発信機ＩＤとをマーキング情報として用いてもよい。これにより、ユーザは、他のユーザの最新のマーキング情報に基づいて照明を制御するサービスを受けることができる。図１３に示す例においては、親ユーザは、最新の子ユーザのマーキング情報に基づいて子ユーザが位置する付近の照明が点灯し、さらに容易に子ユーザを見つけることが可能となる。
【０１０５】
次に、図１４を用いて、実施形態３に係るサーバ３００の構成について説明する。図１４は、実施形態３に係るサーバの構成を示すブロック図である。図１４に示すように、サーバ３００は、記憶部３２０にグループ情報記憶部３２３を有する点において、サーバ１００と相違する。
【０１０６】
グループ情報記憶部３２３は、携帯端末１０のグループに関する情報を記憶する。図１５は、グループ情報記憶部３２３に記憶される携帯端末１０のグループに関する情報の一例を示す。図１５に示すように、グループ情報記憶部３２３は、携帯端末１０のグループに関する情報として、「親ユーザＩＤ」、「子ユーザＩＤ」といった項目を有する。
【０１０７】
「親ユーザＩＤ」は、親ユーザの所有する携帯端末１０を識別するための識別情報を示す。また、「子ユーザＩＤ」は、子ユーザの所有する携帯端末１０を識別するための識別情報を示す。図１５に示す例においては、親ユーザＩＤ「Ｕ１１」により識別される携帯端末１０には、子ユーザＩＤ「Ｕ１１１」により識別される携帯端末１０及び子ユーザＩＤ「Ｕ１１２」により識別される携帯端末１０が子ユーザの携帯端末１０として対応付けられる。
【０１０８】
なお、図１５は一例であって、複数の親ユーザＩＤに１つの子ユーザＩＤが対応付けられてもよい。また、一の親ユーザＩＤが他の親ユーザＩＤの子ユーザＩＤとして対応付けられてもよい。
【０１０９】
また、実施形態３に係るサーバ３００において、抽出部３３２は、受信部３３１がユーザＩＤを受信した場合、グループ情報記憶部３２３を参照して受信したユーザＩＤが親ユーザＩＤかどうかを判断する。受信したユーザＩＤが親ユーザＩＤである場合、抽出部３３２は、親ユーザＩＤに対応付けられた子ユーザＩＤの携帯端末１０に対応するマーキング情報を抽出する。また、抽出部３３２は、受信したユーザＩＤが親ユーザＩＤに複数の子ユーザＩＤが対応付けられている場合、送信部３３３にいずれの子ユーザＩＤの携帯端末１０に対応するマーキング情報を用いるか選択させる画面をユーザＩＤの送信元の携帯端末１０に送信させてもよい。
【０１１０】
［位置情報活用システムによる処理］
次に、図１６を用いて、実施形態３に係る位置情報活用システム３による位置情報活用処理を説明する。図１６は、実施形態３に係る位置情報活用システムにおける位置情報活用処理の手順を示すシーケンス図である。
【０１１１】
図１６に示すように、子ユーザの携帯端末１０Ａは、発信機４０から個体情報である発信機情報を受信する（ステップＳ３０１）。例えば、携帯端末１０Ａは、発信機４０から発信機ＩＤを受信する。そして、発信機４０から発信機情報を受信した携帯端末１０Ａは、受信した発信機情報を端末情報とともにサーバ３００へ送信する（ステップＳ３０２）。例えば、発信機４０から発信機ＩＤを受信した携帯端末１０Ａは、受信した発信機ＩＤをユーザＩＤとともにサーバ３００へ送信する。
【０１１２】
そして、サーバ３００は、ユーザＩＤと発信機ＩＤとを受信した場合、受信したユーザＩＤと発信機ＩＤとを対応付けるマーキングを行う（ステップＳ３０３）。マーキングを行った後、サーバ３００は、親ユーザの携帯端末１０Ｂからマーキング情報に基づくサービスを要求された場合（ステップＳ３０４）、子ユーザの携帯端末１０Ａに対応する位置情報を抽出する（ステップＳ３０５）。例えば、サーバ３００は、携帯端末１０Ｂから子ユーザの携帯端末１０Ａに対応するマーキング情報に基づくサービスを要求する情報としてユーザＩＤを受信した場合、受信したユーザＩＤが親ユーザＩＤかどうかを判断する。サーバ３００は、受信したユーザＩＤが親ユーザＩＤである場合、親ユーザＩＤに対応付けられた子ユーザＩＤの携帯端末１０Ａに対応するマーキング情報を抽出する。サーバ３００は、抽出したマーキング情報に基づいて、発信機４０に関する情報を抽出する。
【０１１３】
ステップＳ３０６〜Ｓ３０９の処理は、図８に示すステップＳ１０６〜Ｓ１０９に対応する。簡単に説明すると、サーバ３００は、抽出した位置情報を送信することにより、照明制御システム５０の制御装置１５０に照明器具５１の制御を指示する（ステップＳ３０６）。続けて、照明制御システム５０の制御装置１５０は、サーバ３００から受信した位置情報に基づいて、調光を指示する照明器具５１を判定する（ステップＳ３０７）。その後、制御装置１５０は、調光を指示する照明器具５１として判定された照明器具５１に対して、調光を指示する（ステップＳ３０８）。そして、制御装置１５０から調光の指示を受け付けた照明器具５１の制御部は、制御装置１５０からの指示の内容に基づいて、光源部の調光を制御する（ステップＳ３０９）。
【０１１４】
［実施形態３の効果］
上述のように、実施形態３に係る位置情報活用システム３は、複数の発信機４０と、携帯端末１０と、サーバ３００と、照明制御システム５０とを具備する。複数の発信機４０は、配置された位置情報又は個体情報を含む発信機情報を発信する。また、携帯端末１０Ａは、複数の発信機４０から発信される個体情報を受信する。サーバ３００は、携帯端末１０Ａから、一の発信機４０の発信機情報と携帯端末１０Ａを識別する端末情報とを受信した場合、一の発信機４０の発信機情報と端末情報とを対応付ける。また、照明制御システム５０は、光源部と制御部を保持する複数の照明器具５１を含む。サーバ３００は、携帯端末１０Ａに対応付けられた所定の携帯端末１０Ｂから要求された場合、端末情報に対応付けられた一の発信機４０の発信機情報に基づいて、照明制御システム５０に一の発信機４０の位置から所定の範囲内に配置された照明器具５１を制御するように指示する。
【０１１５】
これにより、位置情報活用システム３は、制御を行う時点でのユーザ本人の位置や状態によらないサービスの提供を支援することができる。具体的には、位置情報活用システム３を利用する一のユーザは、他のユーザに対応するマーキング情報に基づいて照明を制御するサービスを受けることができる。図１３に示す例においては、親ユーザは、子ユーザの携帯端末１０Ａが発信機ＩＤを携帯端末１０ＡのユーザＩＤとともにサーバ３００に送信することにより、子ユーザが迷子になった場合であっても、子ユーザの携帯端末１０Ａに対応するマーキング情報に基づいて子ユーザの位置付近の照明が点灯し、容易に子供を見つけることが可能となる。
【０１１６】
［実施形態４］
実施形態１に係る位置情報活用システム１においては、携帯端末１０が発信機ＩＤとユーザＩＤとをサーバ１００へ送信する。一方、実施形態４に係る位置情報活用システム４においては、発信機４０を有する通信ユニット４００がサーバ１００へ発信機ＩＤとユーザＩＤとを送信する点で実施形態１と相違する。この点を図面に基いて説明する。なお、実施形態１と同一部分には、同一符号を付して説明を省略する。
【０１１７】
図１７では、位置情報活用システム４を駐車場に適用し、ユーザの位置に関するマーキングに基づいて照明を制御する場合を例示する。
【０１１８】
通信ユニット４００−１，４００−２，４００−３，４００−４は、携帯端末１０やサーバ１００と各種情報を送受信する情報処理装置である。以下では、通信ユニット４００−１，４００−２，４００−３，４００−４等について、特に区別なく説明する場合には、通信ユニット４００と記載する。通信ユニット４００は、情報を発信する発信機４０を有する。図１７に示す例においては、通信ユニット４００は、駐車場の天井に複数設置される。また、各通信ユニット４００は、照明制御システム５０の照明器具５１−１，５１−２，５１−３，５１−４に対応する位置に設置される。具体的には、図１７に示す例では、照明器具５１−１の付近に通信ユニット４００−１が設置され、照明器具５１−２の付近に通信ユニット４００−２が設置され、照明器具５１−３の付近に通信ユニット４００−３が設置され、照明器具５１−４の付近に通信ユニット４００−４が設置される。
【０１１９】
図１７に示すように、通信ユニット４００−２の発信機４０は、周囲に情報を発信する（図１７中の（１））。例えば、通信ユニット４００−２の発信機４０は、発信機ＩＤを発信する。図１７に示す例においては、ユーザの携帯端末１０は、駐車場において車を停車した際に、通信ユニット４００−２の発信機４０が発信する情報を受信する。そして、例えばユーザの操作に応じて携帯端末１０からユーザＩＤが送信された場合、通信ユニット４００−２は、ユーザＩＤを受信する（図１７中の（２））。そして、通信ユニット４００−２は、例えば携帯端末１０からの指示に応じて、ユーザＩＤを通信ユニット４００−２の発信機４０の発信機ＩＤとともにサーバ１００へ送信する（図１７中の（３））。
【０１２０】
サーバ１００は、通信ユニット４００−２の発信機４０からユーザＩＤと発信機ＩＤとを受信した場合、発信機ＩＤとユーザＩＤとを対応付けるマーキングを行う（図１７中の（４））。その後、ユーザは、サーバ１００に対して、マーキング情報に基づくサービスを要求する（図１７中の（５））。上記の要求がされたサーバ１００は、マーキング情報の発信機ＩＤに対応する位置情報を照明制御システム５０の制御装置１５０に送信することにより、照明制御システム５０に通信ユニット４００−２の発信機４０の位置から所定の範囲内に配置された照明器具５１を制御するように指示する（図１７中の（６））。なお、以下では、照明器具５１の制御の一例として、照明器具５１を調光する場合を示すが、上述したようにサーバ１００は、目的に応じて種々の制御方法を適宜選択してもよい。
【０１２１】
マーキング情報の発信機ＩＤに対応する位置情報を受信した制御装置１５０は、通信ユニット４００−２の発信機４０の位置から所定の範囲内に配置された照明器具５１に調光を指示する。図１７に示す例においては、制御装置１５０は、通信ユニット４００−２の発信機４０の付近に設置された照明器具５１−２に調光を指示する（図１７中の（７））。制御装置１５０から調光の指示を受けた照明器具５１−２では、制御部により光源部から放射する光が調光される（図１７中の（８））。図１７に示す例においては、照明器具５１−２を含む照明器具５１が消灯している状態であるので、制御装置１５０は、照明器具５１−２に光源部を点灯するように指示する。これにより、ユーザは、マーキング情報に基づいて照明を制御するサービスを受けることができる。図１７に示す例においては、ユーザは、車を駐車した際にユーザＩＤを通信ユニット４００に送信しておくことにより、駐車した車の位置を忘れた場合であっても、マーキング情報に基づいて車付近の照明が点灯し、容易に車を見つけることが可能となる。なお、通信ユニット４００は、照明器具５１に組み込まれる等、照明器具５１と一体であってもよい。なお、図１７に示す例においては、通信ユニット４００が、サーバ１００と直接通信する例を示したが、通信ユニット４００は、制御装置１５０を介してサーバ１００と通信を行ってもよい。また、通信ユニット４００は、他の通信ユニット４００を介してサーバ１００と通信を行ってもよい。
【０１２２】
［通信ユニットの構成］
続いて、図１８を用いて、通信ユニット４００の構成を説明する。図１８は、実施形態４に係る通信ユニットの構成を示すブロック図である。以下に示す通信ユニット４００は、発信機４０から携帯端末１０へ発信機ＩＤを発信したり、携帯端末１０から受信したユーザＩＤや発信機ＩＤなどをサーバ１００へ送信したりする。図１８に示すように、通信ユニット４００は、通信部４１０、記憶部４２０、制御部４３０、及び発信機４０を有する。以下に、これらの各部の処理を説明する。
【０１２３】
通信部４１０は、例えば、ＮＩＣによって実現される。かかる通信部４１０は、図示しない所定のネットワークと有線又は無線で接続される。そして、通信部４１０は、図示しない所定のネットワークを介して、携帯端末１０やサーバ１００との間で情報の送受信を行う。
【０１２４】
記憶部４２０は、例えば、ＲＡＭ、フラッシュメモリ等の半導体メモリ素子、又は、ハードディスク、光ディスク等の記憶装置によって実現される。
【０１２５】
制御部４３０は、各種の処理手順などを規定したプログラム及び所要データを格納するための内部メモリを有し、これらによって種々の処理を実行するが、特に本発明に密接に関連するものとしては、受信部４３１、抽出部４３２、及び送信部４３３を有する。
【０１２６】
受信部４３１は、携帯端末１０から発信されるユーザＩＤを受信する。また、受信部４３１は、例えば、受信したユーザＩＤを記憶部４２０に格納する。
【０１２７】
抽出部４３２は、サーバ１００にユーザＩＤと発信機ＩＤとを送信する場合、記憶部４２０からユーザＩＤを抽出する。例えば、抽出部４３２は、記憶部４２０に記憶された同じユーザＩＤが複数ある場合、受信日時が最先のユーザＩＤを抽出してもよい。
【０１２８】
送信部４３３は、携帯端末１０から受信したユーザＩＤを発信機ＩＤとともにサーバ１００に送信する。
【０１２９】
［位置情報活用システムによる処理］
次に、図１９を用いて、実施形態４に係る位置情報活用システム４による位置情報活用処理を説明する。図１９は、実施形態４に係る位置情報活用システムにおける位置情報活用処理の手順を示すシーケンス図である。
【０１３０】
図１９に示すように、通信ユニット４００は、通信ユニット４００の発信機４０の個体情報である発信機情報を発信する（ステップＳ４０１）。通信ユニット４００から発信機情報を受信した携帯端末１０は、ユーザの操作に応じて、端末情報を通信ユニット４００へ送信する（ステップＳ４０２）。そして、携帯端末１０から端末情報を受信した通信ユニット４００は、受信した端末情報を発信機情報とともにサーバ１００へ送信する（ステップＳ４０３）。例えば、携帯端末１０からユーザＩＤを受信した通信ユニット４００は、受信したユーザＩＤを発信機ＩＤとともにサーバ１００へ送信する。
【０１３１】
ステップＳ４０４〜Ｓ４１０の処理は、図８に示すステップＳ１０３〜Ｓ１０９に対応する。簡単に説明すると、サーバ１００は、ユーザＩＤと発信機ＩＤとを受信した場合、受信したユーザＩＤと発信機ＩＤとを対応付けるマーキングを行う（ステップＳ４０４）。マーキングを行った後、サーバ１００は、携帯端末１０からマーキング情報に基づくサービスを要求された場合（ステップＳ４０５）、携帯端末１０に対応する位置情報を抽出する（ステップＳ４０６）。
【０１３２】
その後、サーバ１００は、抽出した位置情報を送信することにより、照明制御システム５０の制御装置１５０に照明器具５１の制御を指示する（ステップＳ４０７）。続けて、照明制御システム５０の制御装置１５０は、サーバ１００から受信した位置情報に基づいて、調光を指示する照明器具５１を判定する（ステップＳ４０８）。その後、制御装置１５０は、調光を指示する照明器具５１として判定された照明器具５１に対して、調光を指示する（ステップＳ４０９）。そして、制御装置１５０から調光の指示を受け付けた照明器具５１の制御部は、制御装置１５０からの指示の内容に基づいて、光源部の調光を制御する（ステップＳ４１０）。なお、Ｓ４０１は省略してもよい。
【０１３３】
［実施形態４の効果］
上述したように、実施形態４に係る位置情報活用システム４は、通信機能を有する携帯端末１０と、複数の通信ユニット４００と、サーバ１００とを具備する。通信ユニット４００は、配置された位置情報又は個体情報を含む発信機情報を発信する発信機４０を有し、携帯端末１０から当該携帯端末１０を識別する端末情報を受信する。また、サーバ１００は、端末情報を受信した一の通信ユニット４００から、一の通信ユニット４００が有する発信機４０の配置された位置に関連付けられた発信機情報と端末情報とを受信した場合、一の通信ユニット４００が有する発信機４０の発信機情報と端末情報とを対応付ける。
【０１３４】
これにより、位置情報活用システム４は、制御を行う時点でのユーザ本人の位置や状態によらないサービスの提供を支援することができる。例えば、位置情報活用システム４は、マーキング情報として、発信機４０の個体情報と端末情報とを対応付けて格納し、所定の期間経過後において、マーキング情報を用いてサービスの提供を支援することができる。
【０１３５】
また、実施形態４に係る位置情報活用システム４は、光源部と制御部を保持する複数の照明器具５１を含む照明制御システム５０をさらに具備する。また、サーバ１００は、携帯端末１０に対応付けられた所定の携帯端末１０から要求された場合、端末情報に対応付けられた一の発信機４０の発信機情報に基づいて、照明制御システム５０に一の発信機４０の位置から所定の範囲内に配置された照明器具５１を制御するように指示する。なお、携帯端末１０と所定の携帯端末１０とは、同一の携帯端末１０であってもよい。
【０１３６】
これにより、位置情報活用システム４は、制御を行う時点でのユーザ本人の位置や状態によらないサービスの提供を支援することができる。具体的には、位置情報活用システム４を利用するユーザは、マーキング情報に基づいて照明を制御するサービスを受けることができる。図１７に示す例においては、ユーザは、車を駐車した際にユーザＩＤを発信機４０に送信しておくことにより、ユーザＩＤを受信した発信機４０が発信機ＩＤとともにユーザＩＤをサーバ１００に送信するため、駐車した車の位置を忘れた場合であっても、マーキング情報に基づいて車付近の照明が点灯し、容易に車を見つけることが可能となる。
【０１３７】
［実施形態１〜４に係る地図表示及び経路の案内］
実施形態１〜４に係る位置情報活用システム１〜４においては、マーキング情報に基づいて照明を制御する場合を示した。しかしながら、マーキング情報に基づいて照明を制御する場合に限らず、例えば、位置情報活用システム１〜４において、マーキング情報に基づいて携帯端末１０，１０Ｂに地図情報を表示させてもよい。例えば、位置情報活用システム１〜４は、マーキング情報に基づいて、そのマーキング情報の位置付近の地図情報を携帯端末１０，１０Ｂに表示させる。マーキング情報に基づいて携帯端末１０，１０Ｂに地図情報を表示させる一例を図２０に示す。図２０は、実施形態１〜４に係る携帯端末の画面表示例を示す図である。
【０１３８】
図２０は、位置情報活用システム１〜４を駐車場に適用し、ユーザの位置に関するマーキングに基づいて携帯端末１０に地図情報を表示する例を示す。図２０に示す例においては、駐車エリア位置Ａ１が、車を駐車した際にマーキングした位置に対応する。これにより、ユーザは地図情報に基づいて、駐車した車を容易に見つけることができる。また、子ユーザの携帯端末１０Ａから受信したマーキング情報に基づく地図情報を親ユーザの携帯端末１０Ｂに表示することにより、親ユーザは子ユーザを容易に見つけることができる。
【０１３９】
また、位置情報活用システム１〜４は、マーキング情報と要求の際に携帯端末１０，１０Ｂから取得した位置情報に基づいて、そのマーキング情報の位置と携帯端末１０，１０Ｂから取得した位置情報に基づく位置との間の経路情報を携帯端末１０，１０Ｂに表示させる。マーキング情報と携帯端末１０から取得した位置情報とに基づいて携帯端末１０に地図情報を表示させる一例を図２１に示す。図２１は、実施形態１〜４に係る携帯端末の画面表示例を示す図である。以下では、図２１を用いて、例えば、携帯端末１０が要求する際に位置情報として受信した発信機４０の個体情報（発信機ＩＤ）をサーバ１００，２００に送信する場合について説明する。
【０１４０】
図２１に示す例においては、駐車位置Ｃ１１が、車を駐車した際にマーキングした位置に対応する。また、ユーザ位置Ｈ１１が、ユーザが車を駐車した位置の通知を要求する際に発信機４０の発信機ＩＤをサーバ１００，２００に送信した位置を示す。携帯端末１０から要求される際に発信機ＩＤを受信したサーバ１００，２００は、ユーザ位置Ｈ１１と駐車位置Ｃ１１とを結ぶ経路Ｒ１１を携帯端末１０に表示する。例えば、携帯端末１０から要求される際に発信機ＩＤに対応する発信機４０の設置位置と、マーキング情報に対応する発信機４０の設置位置とを結ぶ経路を携帯端末１０に表示する。これにより、ユーザは、現在位置から駐車した車までの経路を知ることができ、駐車した車を容易にたどり着くことができる。なお、サーバ１００，２００は、携帯端末１０から要求される際に発信機ＩＤを受信する度に、随時経路情報を更新して携帯端末１０に表示してもよい。
【０１４１】
また、親ユーザの携帯端末１０Ｂが要求する際に発信機４０の発信機ＩＤをサーバ３００に送信する場合、サーバ３００は、親ユーザの位置と子ユーザの位置との間の経路情報を携帯端末１０Ｂに表示させる。例えば、サーバ３００は、子ユーザの携帯端末１０Ａから受信したマーキング情報に対応する発信機４０の設置位置と、親ユーザの携帯端末１０Ｂから受信した発信機ＩＤに対応する発信機４０の設置位置とを結ぶ経路を携帯端末１０Ｂに表示する。これにより、親ユーザは、現在位置から子ユーザの位置までの経路を知ることができ、子ユーザを容易に発見することができる。なお、サーバ３００は、携帯端末１０Ｂから要求される際に発信機ＩＤを受信したり、携帯端末１０Ａから新たにユーザＩＤと発信機ＩＤとを受信したりする度に、随時経路情報を更新して携帯端末１０Ｂに表示してもよい。
【０１４２】
また、サーバ１００，２００，３００は、経路を携帯端末１０，１０Ｂに表示する場合、例えば外部の情報処理装置から取得した情報を用いてもよい。図２１に示す例においては、サーバ１００，２００は、駐車場を管理する管理装置から取得した駐車場内の地図情報に基づいて、駐車スペースと通路とを識別してもよい。この場合、図２１に示すように、サーバ１００，２００は、ユーザ位置Ｈ１１と駐車位置Ｃ１１（駐車スペース）とを間を通路により結んだ経路を携帯端末１０に表示する。
【０１４３】
また、実施形態１〜４に係る位置情報活用システム１〜４においては、マーキング情報の位置付近の照明を制御する場合を示した。しかしながら、マーキング情報の位置付近の照明を制御する場合に限らず、位置情報活用システム１〜４においては、マーキング情報に基づく位置と携帯端末１０，１０Ｂが要求する際に受信した位置情報に基づく位置との間の経路に設置された照明の制御を行ってもよい。これにより、位置情報活用システム１〜４は、照明による経路の案内のサービスをユーザに提供することができる。この点について、図２２を用いて説明する。図２２は、実施形態１〜４に係る照明器具による経路案内の例を示す図である。以下では、図２２を用いて、例えば、駐車場Ａ１０に位置情報活用システム１が設置された場合について説明する。また、以下では、携帯端末１０が要求する際に位置情報として受信した発信機４０の発信機ＩＤをサーバ１００に送信する。
【０１４４】
図２２に示す例においては、駐車場Ａ１０に照明器具５１−５〜５１−３１の２７個の照明器具５１が設置された場合を示す。なお、図２２に図示することは省略するが、照明器具５１−５〜５１−３１の各々に対応して２７個の発信機４０が照明器具５１に近接して設置される。
【０１４５】
図２２に示す例においては、駐車位置Ｃ２１が、車を駐車した際にマーキングした位置に対応する。具体的には、携帯端末１０が照明器具５１−２８に近接して設置された発信機４０から受信した発信機ＩＤとユーザＩＤとを駐車位置Ｃ２１に車を駐車した際にサーバ１００へ送信する。また、ユーザ位置Ｈ２１が、ユーザが車を駐車した位置の通知を要求する際に発信機４０の発信機ＩＤをサーバ１００に送信した位置を示す。具体的には、携帯端末１０は、要求する際に照明器具５１−５に近接して設置された発信機４０から受信した発信機ＩＤをサーバ１００へ送信する。
【０１４６】
ここで、携帯端末１０から要求される際に発信機ＩＤを受信したサーバ１００は、ユーザ位置Ｈ２１と駐車位置Ｃ２１とを結ぶ経路に設置された照明器具５１を、照明制御システム５０に制御（調光）するように指示する。例えば、サーバ１００は、携帯端末１０から要求される際に発信機ＩＤに対応する発信機４０の設置位置と、マーキング情報に対応する発信機４０の設置位置とを結ぶ経路に設置された照明器具５１を点灯するように照明制御システム５０に指示する。
【０１４７】
図２２に示す例においては、ユーザ位置Ｈ２１と駐車位置Ｃ２１とを結ぶ経路に設置された照明器具５１が点灯する。具体的には、ユーザ位置Ｈ２１と駐車位置Ｃ２１とを結ぶ経路に設置された１０個の照明器具５１−５，５１−６，５１−９，５１−１２，５１−１５，５１−１８，５１−２１，５１−２４，５１−２７，５１−２８が点灯する。これにより、ユーザは、点灯している１０個の照明器具５１を辿ることにより、照明器具５１−５から駐車位置Ｃ２１に設置された照明器具５１−２８まで用意に移動することができる。つまり、ユーザは、ユーザ位置Ｈ２１と駐車位置Ｃ２１とを結ぶ経路に設置された照明器具５１が点灯することにより、容易に駐車した車を見つけることができる。
【０１４８】
なお、サーバ１００は、携帯端末１０から要求される際に発信機ＩＤを受信する度に、随時経路を更新して、照明制御システム５０に照明器具５１を調光するように指示してもよい。例えば、携帯端末１０は、要求する際に照明器具５１−６に近接して設置された発信機４０から受信した発信機ＩＤをサーバ１００へ送信した場合、サーバ１００は、新たなユーザ位置と駐車位置Ｃ２１とを結ぶ経路に設置されていない照明器具５１を照明制御システム５０に調光するように指示してもよい。具体的には、サーバ１００は、新たなユーザ位置と駐車位置Ｃ２１とを結ぶ経路に設置されていない照明器具５１−５を消灯するように照明制御システム５０に指示してもよい。この場合、新たなユーザ位置と駐車位置Ｃ２１とを結ぶ経路に設置された９個の照明器具５１−６，５１−９，５１−１２，５１−１５，５１−１８，５１−２１，５１−２４，５１−２７，５１−２８が点灯する。
【０１４９】
また、位置情報活用システム３において、親ユーザの携帯端末１０Ｂが要求する際に発信機４０の発信機ＩＤをサーバ３００に送信する場合、サーバ３００は、親ユーザの位置と子ユーザの位置との間の経路に設置された照明器具５１を、照明制御システム５０に調光するように指示する。例えば、サーバ３００は、子ユーザの携帯端末１０Ａから受信したマーキング情報に対応する発信機４０の設置位置と、親ユーザの携帯端末１０Ｂから受信した発信機ＩＤに対応する発信機４０の設置位置とを結ぶ経路に設置された照明器具５１を点灯するように、照明制御システム５０に指示する。これにより、親ユーザは、現在位置から子ユーザの位置までの経路を知ることができ、子ユーザを容易に発見することができる。なお、サーバ３００は、携帯端末１０Ｂから要求される際に発信機ＩＤを受信したり、携帯端末１０Ａから新たにユーザＩＤと発信機ＩＤとを受信したりする度に、随時経路を更新して、照明制御システム５０に照明器具５１を調光するように指示してもよい。
【０１５０】
また、サーバ１００，２００，３００は、経路に設置された照明器具５１を、照明制御システム５０に調光するように指示する場合、例えば外部の情報処理装置から取得した情報を用いてもよい。図２２に示す例においては、サーバ１００は、駐車場を管理する管理装置から取得した駐車場内の地図情報に基づいて、駐車スペースと通路とを識別してもよい。この場合、図２２に示すように、サーバ１００は、ユーザ位置Ｈ２１と駐車位置Ｃ２１（駐車スペース）とを間を通路により結んだ経路に設置された照明器具５１を、照明制御システム５０に調光するように指示する。なお、携帯端末１０は、要求する際に位置情報として緯度経度に関する情報をサーバ１００，２００，３００に送信してもよい。なお、上記の例では、照明器具５１の制御の一例として、照明器具５１を調光する場合を示したが、上述したようにサーバ１００，２００，３００は、目的に応じて種々の制御方法を適宜選択してもよい。
【０１５１】
［実施形態１〜４の効果］
サーバ１００，２００，３００は、携帯端末１０，１０Ａに対応付けられた所定の携帯端末１０，１０Ｂから要求される際に所定の携帯端末１０，１０Ｂから位置情報を受信した場合、所定の携帯端末１０，１０Ｂから受信した位置情報に基づく位置と端末情報に対応付けられた一の発信機４０の位置との間の経路に設置された照明器具５１を、照明制御システム５０に制御するように指示する。
【０１５２】
これにより、位置情報活用システム１〜４は、経路情報サービスをユーザに提供することができる。
【０１５３】
サーバ１００，２００，３００は、携帯端末１０，１０Ａに対応付けられた所定の携帯端末１０，１０Ｂから要求された場合、端末情報に対応付けられた一の発信機４０の発信機情報に基づく地図情報を、所定の携帯端末１０，１０Ｂに送信する。
【０１５４】
これにより、位置情報活用システム１〜４は、地図情報サービスをユーザに提供することができる。
【０１５５】
サーバ１００，２００，３００は、携帯端末１０，１０Ａに対応付けられた所定の携帯端末１０，１０Ｂから要求される際に所定の携帯端末１０，１０Ｂから位置情報を受信した場合、所定の携帯端末１０，１０Ｂから受信した位置情報に基づく位置と端末情報に対応付けられた一の発信機４０の位置との間の経路情報を、所定の携帯端末１０，１０Ｂに送信する。
【０１５６】
これにより、位置情報活用システム１〜４は、経路情報サービスをユーザに提供することができる。
【０１５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。また、これらの実施形態やその変形は、処理内容を矛盾させない範囲で適宜組み合わせることが可能である。
【符号の説明】
【０１５８】
１，２，３，４      位置情報活用システム
１００，２００，３００  サーバ
１１０，２１０，３１０  通信部
１２０，２２０，３２０  記憶部
１２１，２２１，３２１  発信機情報記憶部
１２２，３２２  マーキング情報記憶部
３２３  グループ情報記憶部
１３０，２３０，３３０  制御部
１３１，２３１，３３１  受信部
１３２，２３２，３３２  抽出部
１３３，２３３，３３３  送信部
１０，１０Ａ，１０Ｂ    携帯端末
４０，４０−１〜４０−４  発信機
５０  照明制御システム
５１，５１−１〜５１−４  照明器具
１５０  制御装置
４００，４００−１〜４００−４  通信ユニット
【図１】
0006766317.tif 000002
【図２】
0006766317.tif 000003
【図３】
0006766317.tif 000004
【図４】
0006766317.tif 000005
【図５】
0006766317.tif 000006
【図６】
0006766317.tif 000007
【図７】
0006766317.tif 000008
【図８】
0006766317.tif 000009
【図９】
0006766317.tif 000010
【図１０】
0006766317.tif 000011
【図１１】
0006766317.tif 000012
【図１２】
0006766317.tif 000013
【図１３】
0006766317.tif 000014
【図１４】
0006766317.tif 000015
【図１５】
0006766317.tif 000016
【図１６】
0006766317.tif 000017
【図１７】
0006766317.tif 000018
【図１８】
0006766317.tif 000019
【図１９】
0006766317.tif 000020
【図２０】
0006766317.tif 000021
【図２１】
0006766317.tif 000022
【図２２】
0006766317.tif 000023